(57)【要約】【課題】補助ロックの施解錠をハンドルの回動操作に伴うワンアクションで行うことができるため操作性が向上するとともに、空掛け防止機能及び補助ロック機能を比較的簡素な構成で実現することができるクレセント錠を提供する。【解決手段】施錠方向回動規制部である第１係止部６及び解錠方向回動規制部である第２係止部７の両方を台座３側の回動部材に近い側面に設け、回動部材側の第１係止片１１Ａを第１係止部６に係止することで空掛けを防止し、回動部材側の第２係止片１２Ａを第２係止部７に係止することで補助ロックを掛けるようにした。クレセント錠Ａの施錠状態にから解錠する際におけるハンドル２の解錠方向への回動操作に併せて操作レバー部１２Ｂをハンドル２に近づけるように把持すると、補助ロックが外れてハンドル２を解錠方向へ回動操作することができるように構成した。【選択図】図９
2013083054.tif 000002
【特許請求の範囲】
【請求項１】
引き形式又は上げ下げ形式のサッシにおいて、回動部材であるクレセント及びハンドルを見付け方向の回動支軸の軸芯まわりに回動可能に支持する台座を内障子の召合せ框に取り付け、前記クレセントに係合するクレセント受けを外障子の召合せ框に取り付けてなる、空掛け防止機能及び補助ロック機能を備えたクレセント錠であって、
前記空掛け防止機能を実現するための機構が、一端部に第１係止片が他端部に被操作片が形成され、その中間部が見付け方向の第１揺動支軸の軸芯まわりに揺動可能に前記回動部材により支持された第１揺動部材と、前記台座側の前記回動部材に近い側面に設けられた、前記第１係止片を係止して施錠方向の回動を規制する施錠方向回動規制部と、前記回動部材側に設けられた、前記第１係止片が前記施錠方向回動規制部に係止した状態を保持するように付勢する第１弾性付勢手段とにより構成され、前記第１係止片が前記施錠方向回動規制部に係止した状態では前記ハンドルの所定角度以上の施錠方向への回動が規制され、前記内障子及び外障子が完全に閉じた状態で前記ハンドルを施錠方向へ回動すると、前記第１揺動部材の被操作片が前記クレセント受けに当接して押圧され、前記第１揺動部材が前記第１弾性付勢手段の付勢力に抗して揺動して前記第１係止片と前記施錠方向回動規制部との係止状態が解除されるとともに、
前記補助ロック機能を実現するための機構が、一端部に第２係止片が他端部に前記ハンドルに添設される操作レバー部が形成され、見付け方向の第２揺動支軸の軸芯まわりに揺動可能に前記ハンドルに支持された第２揺動部材と、前記台座側の前記回動部材に近い側面に設けられた、前記第２係止片を係止して解錠方向の回動を規制する解錠方向回動規制部と、前記回動部材側に設けられた、前記第２係止片が前記解錠方向回動規制部に係止した状態を保持するように付勢する第２弾性付勢手段とにより構成され、前記クレセントが前記クレセント受けに係合した施錠状態では前記第２係止片が前記解錠方向回動規制部に係止した状態となって前記ハンドルの解錠方向への回動が規制され、前記操作レバー部を前記ハンドルに近づけるように把持すると、前記第２揺動部材が前記第２弾性付勢手段の付勢力に抗して揺動して前記第２係止片と前記解錠方向回動規制部との係止状態が解除されることを特徴とするクレセント錠。
【請求項２】
前記施錠方向回動規制部及び解錠方向回動規制部を金属製板部材に一体形成し、この金属製板部材を前記台座に取り付けてなる請求項１記載のクレセント錠。
【発明の詳細な説明】
【技術分野】
【０００１】
本発明は、空掛け防止機能及び補助ロック機能を備えたクレセント錠に関するものである。
【背景技術】
【０００２】
引違い、片引き若しくは両引き（引分け）の引き形式、又は、片上げ下げ若しくは両上げ下げの上げ下げ形式のサッシにおいて、クレセント（掛け部）を回動可能に支持する台座を内障子の召合せ框に取り付け、クレセント受け（受け部）を外障子の召合せ框に取り付けてなるクレセント錠が広く用いられている。
このようなクレセント錠において、内障子と外障子が完全には閉じていない場合に生じるクレセントの空掛けを防止して防犯性の向上及びクレセント等の変形や損傷を防止する空掛け防止機能、並びに、施錠状態におけるハンドルの解錠方向への回動を防止して防犯性を向上する補助ロック機能を備えたものがある（例えば、特許文献１及び２参照。）。
【０００３】
特許文献１のクレセント錠の空掛け防止機能を実現するための機構（以下において、「空掛け防止機構」という。）は、内障子と外障子が完全には閉じていない状態でクレセント錠のハンドルを施錠方向へ回動すると、台座内の回動規制機構のトリガ部が、内障子と外障子が完全に閉じた状態よりも大きい突出量で台座から室外側へ突出し、回動規制機構によりハンドルの回転がロックされる。
特許文献２のクレセント錠の空掛け防止機構は、内障子と外障子が完全には閉じていない状態でクレセント錠のハンドルを施錠方向へ回動すると、クレセントを含む回動側に設けられたハンドルの解錠位置から施錠方向への所定角度以上の回動を阻止する回動阻止機構によりハンドルの回動がロックされる。
【０００４】
特許文献１のクレセント錠の補助ロック機能を実現するための機構（以下において、「補助ロック機構」という。）は、クレセントがクレセント受けに係合した状態で、台座の外面に露出する操作部を施錠方向へスライド操作すると、台座内に設けたハンドルの回動に伴って回転する回転体に回転阻止部が当接して回転体の回転が阻止されるため、ハンドルの回動がロックされる。
特許文献２のクレセント錠の補助ロック機構は、クレセントがクレセント受けに係合した状態で、台座の外面に露出する操作部（摘み）を施錠方向へスライド操作すると、台座内に設けたハンドルの回動に伴って回転する端板の係合溝にロック部材の係合片が係合して端板の回転が阻止されるため、ハンドルの回動がロックされる。
また、引き形式及び上げ下げ形式のサッシではないが、縦すべり出し窓、横すべり出し窓、片開き窓又は突出し窓等のような窓枠内に組み込まれた障子を室内外方向へ開閉することができる窓において、操作ハンドルの操作とロック装置をロック状態又はロック解除状態にする操作とをワンアクションで行うことができるように構成した施錠装置がある（例えば、特許文献３参照。）。
【先行技術文献】
【特許文献】
【０００５】
【特許文献１】特開２００８−２３１８１１号公報
【特許文献２】特開２００５−１０５８１５号公報
【特許文献３】特開２０１０−１５９５８７号公報
【発明の概要】
【発明が解決しようとする課題】
【０００６】
特許文献１及び２のような空掛け防止機能及び補助ロック機能を備えたクレセント錠では、施錠の際には、ハンドルを回動操作してクレセント錠の施錠を行った後に操作部をスライド操作して補助ロックの施錠を行うという別の二つの操作（ツーアクション）が必要であるため、ハンドルの回動操作による施錠後に行う必要がある操作部のスライド操作をし忘れる場合があり、このような場合には防犯性が低下する。
その上、解錠の際にも、操作部をスライド操作して補助ロックの解錠を行った後にハンドルを回動操作してクレセント錠の解錠を行う別の二つの操作（ツーアクション）を必要があるため、操作性が良いとはいえない。
また、特許文献１のクレセント錠の空掛け防止機構では、トリガ部を台座から出没させる機構等が比較的複雑なものとなっており、特許文献１及び２の補助ロック機構では、台座の外面に露出する操作部を施錠方向へスライド操作して回転体（端板）の回転を阻止する機構等が比較的複雑なものとなっている。
【０００７】
そこで本発明が前述の状況に鑑み、解決しようとするところは、補助ロックの施解錠をハンドルの回動操作に伴うワンアクションで行うことができるとともに、空掛け防止機能及び補助ロック機能を比較的簡素な構成で実現することができるクレセント錠を提供する点にある。
【課題を解決するための手段】
【０００８】
本願の発明者は、上述のような空掛け防止機能及び補助ロック機能を備えたクレセント錠を構成するにあたって、特許文献２のようなハンドルの回動を利用して内障子と外障子が正常閉鎖位置にあるか否かを感知することにより空掛け防止機能を比較的簡素に実現する構成を用いるとともに、特許文献３のようなワンアクションでハンドルの操作とロック装置をロック状態又はロック解除状態にする操作とを行う施錠装置の構成を用い、さらにこれらを合理的にかつ低コストに組み合わせるという着想を得て本発明を完成するに至った。
【０００９】
すなわち、本発明に係るクレセント錠は、前記課題解決のために、引き形式又は上げ下げ形式のサッシにおいて、回動部材であるクレセント及びハンドルを見付け方向の回動支軸の軸芯まわりに回動可能に支持する台座を内障子の召合せ框に取り付け、前記クレセントに係合するクレセント受けを外障子の召合せ框に取り付けてなる、空掛け防止機能及び補助ロック機能を備えたクレセント錠であって、前記空掛け防止機能を実現するための機構が、一端部に第１係止片が他端部に被操作片が形成され、その中間部が見付け方向の第１揺動支軸の軸芯まわりに揺動可能に前記回動部材により支持された第１揺動部材と、前記台座側の前記回動部材に近い側面に設けられた、前記第１係止片を係止して施錠方向の回動を規制する施錠方向回動規制部と、前記回動部材側に設けられた、前記第１係止片が前記施錠方向回動規制部に係止した状態を保持するように付勢する第１弾性付勢手段とにより構成され、前記第１係止片が前記施錠方向回動規制部に係止した状態では前記ハンドルの所定角度以上の施錠方向への回動が規制され、前記内障子及び外障子が完全に閉じた状態で前記ハンドルを施錠方向へ回動すると、前記第１揺動部材の被操作片が前記クレセント受けに当接して押圧され、前記第１揺動部材が前記第１弾性付勢手段の付勢力に抗して揺動して前記第１係止片と前記施錠方向回動規制部との係止状態が解除されるとともに、前記補助ロック機能を実現するための機構が、一端部に第２係止片が他端部に前記ハンドルに添設される操作レバー部が形成され、見付け方向の第２揺動支軸の軸芯まわりに揺動可能に前記ハンドルに支持された第２揺動部材と、前記台座側の前記回動部材に近い側面に設けられた、前記第２係止片を係止して解錠方向の回動を規制する解錠方向回動規制部と、前記回動部材側に設けられた、前記第２係止片が前記解錠方向回動規制部に係止した状態を保持するように付勢する第２弾性付勢手段とにより構成され、前記クレセントが前記クレセント受けに係合した施錠状態では前記第２係止片が前記解錠方向回動規制部に係止した状態となって前記ハンドルの解錠方向への回動が規制され、前記操作レバー部を前記ハンドルに近づけるように把持すると、前記第２揺動部材が前記第２弾性付勢手段の付勢力に抗して揺動して前記第２係止片と前記解錠方向回動規制部との係止状態が解除されることを特徴とする。
【００１０】
このような構成によれば、引き形式又は上げ下げ形式のサッシにおいて、内障子及び外障子が完全に閉じていない状態では、ハンドルを回動操作しても第１揺動部材の被操作片が操作されることがなく、第１弾性付勢手段により第１係止片が施錠方向回動規制部に係止した状態が保持されることから、ハンドルを所定角度以上施錠方向へ回動することができないため、空掛けが防止される。
その上、内障子及び外障子が完全に閉じた状態でハンドルを施錠方向へ回動すると、第１揺動部材の被操作片がクレセント受けに当接して押圧され、第１揺動部材が第１弾性付勢手段の付勢力に抗して揺動して第１係止片と施錠方向回動規制部との係止状態が解除されるため、クレセントがクレンセント受けに係合した施錠状態にすることができる。
そして、この施錠状態では、第２弾性付勢手段により第２揺動部材の第２係止片が解錠方向回動規制部に係合した状態が保持されることから、ハンドルの解錠方向への回動が規制される。
その上、クレセント錠を解錠する際におけるハンドルの回動操作に併せて操作レバー部をハンドルに近づけるように把持すると、第２揺動部材が第２弾性付勢手段の付勢力に抗して揺動して第２係止片と解錠方向回動規制部との係止状態が解除されるため、ハンドルを解錠方向へ回動操作することができる。
よって、補助ロックの施解錠をハンドルの回動操作に伴うワンアクションで行うことができる。
その上さらに、施錠方向回動規制部及び解錠方向回動規制部の両方が台座側の回動部材に近い側面に設けられていることから、ハンドルの回動を規制する機構を台座内に設ける構成と比較して、回動部材側に設けた第１揺動部材及び第２揺動部材の係止片を係止させる台座側の構成が簡素になる。
【００１１】
ここで、前記施錠方向回動規制部及び解錠方向回動規制部を金属製板部材に一体形成し、この金属製板部材を前記台座に取り付けてなると好ましい。
このような構成によれば、回動部材側の第１揺動部材の第１係止片又は第２揺動部材の第２係止片が係止する、台座側の回動部材に近い側面に設けられる施錠方向回動規制部及び解錠方向回動規制部を金属製板部材に形成しているので、施錠方向回動規制部及び解錠方向回動規制部に必要な強度及び長期にわたる信頼性を容易に確保しながら、金属製板部材を板金プレス加工等により製作して低コスト化を図ることができる。
その上、施錠方向回動規制部及び解錠方向回動規制部が一体形成された金属製板部材を台座に取り付けて用いることにより、台座を合成樹脂の射出成形等により製作して低コスト化を図ることができる。
【発明の効果】
【００１２】
以上のように、本発明に係るクレセント錠によれば、空掛け防止機能及び補助ロック機能を備えながら、施錠状態においてクレセント錠を解錠する際におけるハンドルの回動操作に併せて操作レバー部をハンドルに近づけるように把持すると、補助ロックが外れてハンドルを解錠方向へ回動操作することができることから、補助ロックの施解錠をハンドルの回動操作に伴うワンアクションで行うことができるため操作性が向上するとともに、施錠方向回動規制部及び解錠方向回動規制部の両方が台座側の回動部材に近い側面に設けられていることから、ハンドルの回動を規制する機構を台座内に設ける構成と比較して、回動部材側に設けた第１揺動部材及び第２揺動部材の係止片を係止させる台座側の構成が簡素になるため低コスト化を図ることができるという顕著な効果を奏する。
【図面の簡単な説明】
【００１３】
【図１】本発明の実施の形態に係るクレンセント錠が取り付けられた引き違いサッシを示す斜視図であり、内障子及び外障子が完全に閉じた状態でクレンセントがクレセント受けに係合した施錠状態を示している。
【図２】同じく斜視図であり、クレセント錠を解錠して内障子及び外障子が開いた状態を示している。
【図３】本発明の実施の形態に係るクレンセント錠の外観を示す斜視図であり、（ａ）は台座により回動部材を回動可能に支持した使用状態を、（ｂ）は台座と回動部材とを分離した状態を示している。
【図４】回動部材の台座への取り付け構造を示す斜視図である。
【図５】本発明の実施の形態に係るクレンセント錠の分解斜視図である。
【図６】空掛け防止機構の動作説明用概略正面図であり、第１揺動部材の第１係止片が施錠方向回動規制部に係止した状態を示している。
【図７】同じく概略正面図であり、第１揺動部材の被操作片がクレセント受けに当接して押圧され、第１係止片と施錠方向回動規制部との係止状態が解除された状態を示している。
【図８】同じく概略正面図であり、さらにハンドルを施錠方向へ回動させた状態を示している。
【図９】補助ロック機構の動作説明用概略正面図であり、（ａ）はクレセントがクレセント受けに係合した施錠状態で第２係止片が解錠方向回動規制部に係止した状態を、（ｂ）は操作レバー部をハンドルに近づけるように把持して第２係止片と解錠方向回動規制部との係止状態が解除された状態を示している。
【発明を実施するための形態】
【００１４】
次に本発明の実施の形態を添付図面に基づき詳細に説明するが、本発明は、添付図面に示された形態に限定されず特許請求の範囲に記載の要件を満たす実施形態の全てを含むものである。
なお、本明細書においては、室内から室外へ向かう方向を前とし、前方に向かって左右をいうものとし、クレセント錠を構成する部品についても、クレセント錠が内障子の召合せ框に取り付けられた状態を基準にして前記方向の定義を用いる。
また、内障子の召合せ框に取り付けられたクレセント錠（台座及び回動部材等）を見付け方向（左方）から見た図を正面図とする。
【００１５】
本発明のクレセント錠は、引違い、片引き若しくは両引き（引分け）の引き形式、又は、片上げ下げ若しくは両上げ下げの上げ下げ形式のサッシに用いられ、図１及び図２の本発明の実施の形態に係るクレンセント錠Ａが取り付けられた引き違いサッシＳの斜視図に示すように、クレンセント錠Ａの台座３が内障子１４の召合せ框１６に取り付けられ、クレンセント錠Ａのクレセント（掛け部）１に係合する図示しないクレセント受け（受け部）１０（例えば、図７参照。）が外障子１５の召合せ框１７に取り付けられ、図１に示す施錠状態ではハンドル２が台座３の上方まで回動した位置にあり、図２に示す解錠状態ではハンドル２が台座３の下方まで回動した位置にある。
なお、図１及び図２に示す引き違いサッシＳにおいて、内障子１４及び外障子１５を支持する枠体は省略している。
【００１６】
図３（ａ）の斜視図に示すように台座３に回動部材Ｂが取り付けられた状態で、台座３は、その上下の取付孔３Ｃ，３Ｃを利用して内障子１４の召合せ框１６の左側面に取り付けられ、回動部材Ｂであるクレセント１及びハンドル２は、台座３により、図４の斜視図並びに図５の分解斜視図に示す見付け方向（左右方向）の回動支軸Ｃの軸芯まわりに回動可能に支持される。
図５に示すように、ハンドル２の基端側の軸支持孔２Ｂに見付け方向（左右方向）の第１揺動支軸Ｃ１を嵌入し、ハンドル２の右側面から突出する第１揺動支軸Ｃ１に第１弾性付勢手段であるねじりコイルばね１１Ｄのコイル部を外嵌し、さらに、一端部に第１係止片１１Ａが他端部に被操作片１２Ｂが形成され第１揺動部材１１の中間部の通孔１１Ｃ及びクレセント１の軸支持孔１Ｂを外嵌する。
【００１７】
この状態では、ハンドル２右側面の段部にクレセント１の端部が当接するとともにハンドル２の右側面から突出する突片２Ｄにクレセント１の通孔１Ａの切欠部１Ｃが係合するため、クレセント１はハンドル２と一体化されるとともに、第１揺動部材１１は、第１揺動支軸Ｃ１の軸芯まわりに揺動することができる。
また、ねじりコイルばね１１Ｄの一方の脚部がハンドル２の右側面に形成した支持溝２Ｅに入り、ねじりコイルばね１１Ｄの他方の脚部が第１揺動部材１１の被操作片１１Ｂの内側に延びているため、ねじりコイルばね１１Ｄの復元力により第１揺動部材１１は、第１係止片１１Ａの先端が回動支軸Ｃに近づいて被操作片１２Ｂの先端が回動支軸Ｃから遠ざかる方向へ付勢される。
【００１８】
図５に示すように、後述する施錠方向回動規制部である第１係止部６及び解錠方向回動規制部である第２係止部７が形成された金属製板部材５は、台座３の左側面から突出する突片３Ｄに通孔５Ａの切欠部５Ｃが係合するとともに軸支持孔５Ｂ及び軸支持孔３Ｂにピン１３が嵌入されるため、台座３の回動部材Ｂに近い側面（左側面）に取り付けられる。
そして、ハンドル２の通孔２Ａ及びクレセント１の通孔１Ａ並びに金属製板部材５の通孔５Ａ及び台座３の通孔３Ａに回動支軸Ｃを挿通し、図４に示すように、回動支軸Ｃの矩形状端部Ｄに角度ストッパー４の角穴４Ａを外嵌した状態で回動支軸Ｃの螺孔Ｅに固定ねじ９を螺合することにより、クレセント１及びハンドル２等の回動部材Ｂが台座３に連結される。なお、固定部材Ｂを台座３に連結する方法は、固定ねじ９を用いずに加締め等により行ってもよい。
【００１９】
この状態では、上述のとおり回動部材Ｂは、見付け方向（左右方向）の回動支軸Ｃの軸芯まわりに回動可能に台座３により支持されるとともに、回動支軸Ｃは、その頭部がハンドル２内の図示しない係合部に係合するため、回動部材Ｂと一体となって回動する。
なお、金属製の回動支軸Ｃを合成樹脂製のハンドル２にインサート成形により一体化してもよい。
ここで、図４に示すように、角度ストッパー４に突設された角度規制片４Ｂが台座３内に設けた当止部３Ｆ，３Ｇにより当て止めされるため、ハンドル２は、図１のようにハンドル２が台座３の上方に位置する施錠状態と図２のようにハンドル２が台座３の下方に位置する解錠状態との間で、約１８０°の範囲で回動する。
また、角度ストッパー４に突設されたばね掛け４Ｃと台座３内に設けられたばね掛け３Ｅに引張コイルばね８の端末が掛止されるため、引張コイルばね８の復元力により、ハンドル２が図１の施錠状態から解錠方向へ少し室内側に回動した位置では、施錠方向へ弾性付勢され、図２の解錠状態から施錠方向へ少し室内側に回動した位置では、解錠方向へ弾性付勢される。
【００２０】
図５の分解斜視図及び図９の概略正面図に示すように、第２揺動部材１２は、一端部に第２係止片１２Ａが他端部にハンドル２に添設される操作レバー部１２Ｂが形成され、ハンドル２右面の軸支持孔２Ｃ及び第２揺動部材１２の軸支持孔１２Ｃに見付け方向（左右方向）の第２揺動支軸Ｃ２を嵌入することにより、第２揺動部材１２はハンドル２により第２揺動支軸Ｃ２の軸芯まわりに揺動可能に支持される。
また、操作レバー部１２Ｂは、図１及び図９の施錠状態ではハンドル２の前面側に、図２の解錠状態ではハンドル２の後面側に位置している。
ここで、図９の施錠状態で、第２揺動支軸Ｃ２は、第２係止片１２Ａの後方、操作レバー部１２Ｂの基端側（下方）、且つ、回動支軸Ｃの上方に位置しており、第２揺動支軸Ｃ２の後方には、第２弾性付勢手段である上下方向の圧縮コイルばね１２Ｄが装着されているため、圧縮コイルばね１２Ｄの復元力により、第２係止片１２Ａは下方に、操作レバー部１２Ｂは前方に付勢される。なお、圧縮コイルばね１２Ｄに代えて、操作レバー部１２Ｂとハンドル２の間に、図９の施錠状態で前後方向（見込み方向）の圧縮コイルばねを装着して第２弾性付勢手段としてもよい。
【００２１】
次に、空掛け防止機構の動作について説明する。
図３（ｂ）の斜視図、図５の分解斜視図及び図６の概略正面図に示すように、金属製板部材５（台座３側の回動部材Ｂに近い側面）には、回動支軸Ｃの下方に、第１係止片１１Ａを係止して施錠方向の回動を規制する施錠方向回動規制部である第１係止部６が形成されており、空掛け防止機構は、第１揺動部材１１、第１係止部６及び第１弾性付勢手段であるねじりコイルばね１１Ｄにより構成される。
【００２２】
図２のようにクレセント錠Ａの解錠状態で内障子１４及び外障子１５が開いている状態（完全には閉じていない状態）では、図６に示すように、ハンドル２を施錠方向へ回動操作しても第１揺動部材１１の被操作片１１Ｂが操作されることがなく、ねじりコイルばね１１Ｄにより第１係止片１１Ａが第１係止部６に係止した状態が保持されることから、ハンドル２を所定角度以上施錠方向へ回動することができないため、空掛けが防止される。
これに対して内障子１４及び外障子１５が完全に閉じている状態では、図７の概略正面図に示すように、ハンドル２を施錠方向へ回動すると、第１揺動部材１１の被操作片１１Ｂがクレセント受け１０に当接して押圧され、第１揺動部材１１がねじりコイルばね１１Ｄの付勢力に抗して揺動して第１係止片１１Ａと第１係止部６との係止状態が解除されるため、図８の概略正面図に示す中間位置から図７の二点鎖線及び図９（ａ）の施錠状態までハンドル２を施錠方向へ回動操作することができる。
なお、図７のように第１係止片１１Ａと第１係止部６との係止状態が解除された状態でハンドル２を施錠方向へ回動させて、被操作片１１Ｂがクレセント受け１０により押圧されない状態となっても、第１係止片１１Ａは図３（ｂ）及び図８に示す金属製板部材５の外周面５Ｄに沿うため、第１係止片１１Ａにより施錠方向の回動操作が阻害されることはない。
【００２３】
次に、補助ロック機構の動作について説明する。
図３（ｂ）の斜視図、図５の分解斜視図及び図９の概略正面図に示すように、金属製板部材５（台座３側の回動部材Ｂに近い側面）には、回動支軸Ｃの斜め前上方に、第２係止片１２Ａを係止して解錠方向の回動を規制する解錠方向回動規制部である第２係止部７が形成されており、補助ロック機構は、第２揺動部材１２、第２係止部７及び第２弾性付勢手段である圧縮コイルばね１２Ｄにより構成される。
【００２４】
上述のように内障子１４及び外障子１５が完全に閉じた状態でハンドル２を施錠方向へ回動操作して図１及び図９（ａ）のようにクレセント１をクレセント受け１０に係合させた施錠状態では、圧縮コイルばね１２Ｄにより第２揺動部材１２の第２係止片１２Ａが第２係止部７に係合した状態が保持されることから、ハンドルの解錠方向への回動が規制されるため、ハンドル２を施錠方向へ回動操作するワンアクションで補助ロックの施錠を行うことができる。
このような施錠状態において、図９（ａ）の矢印のように操作レバー部１２Ｂをハンドル２に近づけるように把持すると、第２揺動部材１２が圧縮コイルばね１２Ｄの付勢力に抗して揺動し、図９（ｂ）に示すように第２係止片と第２係止部７との係止状態が解除されるため、ハンドル２を解錠方向へ回動操作することができる。
このように、ハンドル２を解錠方向へ回動させる操作に併せて操作レバー部１２Ｂをハンドル２に近づけるように把持することにより補助ロックが解錠されるため、補助ロックの解錠をハンドル２の解錠方向への回動操作に伴うワンアクションで行うことができる。
【００２５】
以上のような本発明の実施の形態に係るクレセント錠Ａの構成によれば、施錠方向回動規制部である第１係止部６及び解錠方向回動規制部である第２係止部７の両方が台座３側の回動部材Ｂに近い側面（金属製板部材５）に設けられていることから、ハンドル２の回動を規制する機構を台座３内に設ける構成と比較して、回動部材Ｂ側に設けた第１揺動部材１１の第１係止片１１Ａ及び第２揺動部材１２の第２係止片１２Ａを係止させる台座３側の構成が簡素になる。
また、第１係止部６及び第２係止部７を金属製板部材５に一体形成し、金属製板部材５を台座３に取り付けることにより、第１係止部６及び第２係止部７に必要な強度及び長期にわたる信頼性を容易に確保しながら、板金プレス加工等により金属製板部材５を製作して低コスト化を図ることができるとともに、台座３を合成樹脂の射出成形等により製作して低コスト化を図ることができる。
【符号の説明】
【００２６】
Ｓ  引き違いサッシ
Ａ  クレセント錠
Ｂ  回動部材
Ｃ  回動支軸
Ｃ１  第１揺動支軸
Ｃ２  第２揺動支軸
Ｄ  矩形状端部
Ｅ  螺孔
１  クレセント（掛け部）
１Ａ  通孔
１Ｂ  軸支持孔
１Ｃ  切欠部
２  ハンドル
２Ａ  通孔
２Ｂ，２Ｃ  軸支持孔
２Ｄ  突片
２Ｅ  支持溝
３  台座
３Ａ  通孔
３Ｂ  軸支持孔
３Ｃ  取付孔
３Ｄ  突片
３Ｅ  ばね掛け
３Ｆ，３Ｇ  当止部
４  角度ストッパー
４Ａ  角穴
４Ｂ  角度規制片
４Ｃ  ばね掛け
５  金属製板部材
５Ａ  通孔
５Ｂ  軸支持孔
５Ｃ  切欠部
５Ｄ  外周面
６  第１係止部（施錠方向回動規制部）
７  第２係止部（解錠方向回動規制部）
８  引張コイルばね
９  固定ねじ
１０  クレセント受け（受け部）
１１  第１揺動部材
１１Ａ  第１係止片（一端部）
１１Ｂ  被操作片（他端部）
１１Ｃ  通孔（中間部）
１１Ｄ  ねじりコイルばね（第１弾性付勢手段）
１２  第２揺動部材
１２Ａ  第２係止片（一端部）
１２Ｂ  操作レバー部（他端部）
１２Ｃ  軸支持孔
１２Ｄ  圧縮コイルばね（第２弾性付勢手段）
１３  ピン
１４  内障子
１５  外障子
１６，１７  召合せ框
【図１】
2013083054.tif 000003
【図２】
2013083054.tif 000004
【図３】
2013083054.tif 000005
【図４】
2013083054.tif 000006
【図５】
2013083054.tif 000007
【図６】
2013083054.tif 000008
【図７】
2013083054.tif 000009
【図８】
2013083054.tif 000010
【図９】
2013083054.tif 000011